(57)【特許請求の範囲】
【請求項１】
物の周りで互いに重なり合った一対の帯部分を引っ張って封止するためのコンパクトな手操作型の空気作動式の帯掛け工具（１）であって、
引張ホイール（９）と該引張ホイールに接続されたギアハウジング組立体（１４）を備えた空気作動式の帯引張モータと該帯引張モータを制御するために引張用弁（１６）に係合する引張用レバー（１２）とを有し、前記引張用レバーを前記引張用弁に係合させて前記帯引張モータを制御して該帯引張モータによって前記ギアハウジング組立体を介して前記引張ホイールを作動させて互いに重なり合った帯部分を引っ張る引張ステップを行う帯引張手段と、
封止カム（６）を備えたカムシャフトと該カムシャフトに接続されたギアボックス（５）を備えた空気作動式の帯封止モータ（４）と該帯封止モータを制御するために封止用弁（１５）に係合する封止用レバー（１１）と前記封止カムに接触する封止従動モジュール（７）とを有し、前記封止用レバーを前記封止用弁に係合させて前記帯封止モータを制御して該帯封止モータによって前記ギアボックスを介して前記カムシャフトの封止カムを回転させて前記封止従動モジュールに接触させて該封止従動モジュールによって互いに重なり合った帯部分を封止する封止ステップを行う封止手段と、
該封止手段による封止ステップを停止させるための歯（１９）を備えた解放カム（１３）を有する封止停止手段と、
を具備する帯掛け工具において、
前記解放カムが前記カムシャフトに取り付けられており、前記封止手段が該封止手段による封止ステップ中に前記封止用弁を支持して封止作動状態に維持するための封止用弁支持面と前記解放カムの歯に接触可能な解放面とを備えたつめを有し、前記封止手段による封止ステップ中の前記カムシャフトの回転によって前記解放カムが回転せしめられて該解放カムの歯が前記つめの解放面に接触して該つめを回転させ、これにより、前記つめの封止用弁支持面による前記封止用弁の支持を解放することによって前記封止手段による封止ステップが停止される帯掛け工具。
【請求項２】
前記つめ（１７）が前記封止用弁（１５）を支持する位置に向って付勢されている請求項１に記載の帯掛け工具。
【請求項３】
前記引張用レバー（１２）が前記引張用弁（１６）に係合せしめられたときにこれら引張用レバーと引張用弁との係合を保持することによって前記帯引張手段による引張ステップを継続させ且つ前記封止用レバー（１１）が前記封止用弁（１５）に係合せしめられたときに前記引張用レバーと前記引張用弁との係合を解除して前記帯引張手段による引張ステップを停止する引張停止スイッチ（１０）をさらに具備する請求項１に記載の帯掛け工具。
【請求項４】
前記引張用弁（１６）と前記封止用弁（１５）とがコンパクトな弁モジュール（３）内に収められており、該弁モジュールと前記帯封止モータ（４）とが当該帯掛け工具（１）の頂部領域に沿って前記カムシャフトに実質的に平行に互いに隣接して配置され、前記ギアボックス（５）が前記弁モジュールから離れた端部で実質的に鉛直に配置されている請求項１に記載の帯掛け工具。
【発明の詳細な説明】
【０００１】
【発明の属する技術分野】
本発明は搭載部材の周りへ鋼の帯材(strap) を引き出し、引き出した位置で帯材を封止する分野に関する。特に本発明は上記作業を達成できる軽量で手で持てる工具に関する。
【０００２】
【従来の技術および発明が解決しようとする課題】
帯掛け工具は鋼の帯材を搭載部材の周りに引き出し、帯材を封止し、帯材を切断する目的で用いられる。手で持てる工具はこの作業に充てるために提案された。しかしながら多くの従来の工具は、大きく重いため手で操作することが困難であるという問題に悩まされている。
【０００３】
本発明は、必要な帯掛け機能の全てを行うより小さくより軽量の装置を提案することにより、手持ち可能な帯掛け工具が重すぎたり大きかったりすることに関連した問題に充てられ、この問題を解決する。
【０００４】
【課題を解決するための手段】
本発明は、大きすぎたり重すぎたりすることについて従来の帯掛け機械に存在する問題に充てられ、この問題を解決する。特に本発明はコンパクトな空気作動式の弁組立体と、コンパクトな封止用モータ弁組立体構成とを開示する。封止カムにより駆動される歯付き解放カムは封止ステップを終了する作用をする。封止用モータに対する引張りおよび封止弁の構成と、ギアパッケージ、封止用モータ／弁組立体、封止カム、および引張り用モータの構成とは、コンパクトで軽量で信頼性のある本発明の作動に寄与する。
【０００５】
【発明の実施の形態】
図１および図２は本発明の全体図を示している。
帯掛け工具１は封止用レバー１１と、引張り用レバー１２と、引張り停止スイッチ１０とを有するレバーモジュール２を有する。封止装置用弁１５および引張り用弁１６は弁モジュール３に収容される。弁モジュール３および封止用モータ４は帯掛け工具１の頂部に共に配置される。ギアボックス５は帯掛け工具１の一端に略鉛直位置に配置される。金属製の帯材にスリットを打抜き加工し且つ帯材を切断するための複数のカム面を有する封止カム６が、封止用モータ４／弁モジュール３の概ね下に且つ封止用モータ４／弁モジュール３に平行に配置される。封止従動モジュール７はカム従動部と、封止カム６のカム面によって始動される打抜き加工・切断要素とを有する。
【０００６】
金属製の帯材８は引張り用モータ／ギアハウジング組立体１４を上方向へ回転することにより帯掛け工具１へ挿入される。
作動の際は、帯材８を手動で引き出して余分な緩みを排除してもよい。それから引張り用モータ／ギアハウジング組立体１４が開放され、引張りホイール９が帯材８の上面に載置される。引張り用レバー１２を押し下げることにより引張り用弁１６および引張り用モータ／ギアハウジング組立体１４が始動され、引張りホイール９を回転し、その引張りホイール９が帯材８を動かして帯掛け工具１を通し、帯材８を所望の引張りレベルまで引き出す。引張り用モータ／ギアハウジング組立体１４は所定の引張りレベルを越えると停止され、帯材がきつくなりすぎることを防止する。供給空気の体積流量または圧力を制御してセンサレバーを調節してもよい。さもなければ、オペレータが所望のモーメントで封止用レバー１１を押し下げて、帯材８を封止し、帯材供給源から切片を切り出してもよい。
【０００７】
封止用レバー１１を押し下げることにより引張り用モータ／ギアハウジング組立体１４が解放され、封止装置用弁１５および封止用モータ４が係合する。封止用モータ４はギアボックス５を介して封止カム６を駆動し、封止カム６を一回転回転する。封止カム６の面は封止従動モジュール７の要素上に作用し、帯材８の重なり部分を通って相互係合スリットを打抜き加工し、帯材を封止し、それから帯材供給源から解き放たれ封止された帯材を切断する。
従来技術に対する改良は、封止ステップを終了する封止ステップ終了手段を含む。図３、図４および図５を参照すると、封止ステップを終了し且つ帯掛け工具１の大きさや重量を小さくするためのコンパクトで信頼性のある構造が開示される。
【０００８】
図３は封止モードにある帯掛け工具１を示す。
ギアボックス５から離れた封止カム６の端部に解放カム１３が配置される。図３に回転方向を示した。ここでは、封止用レバー１１は矢印で示した方向へ押し下げられ、載置位置へ戻される。封止装置用弁１５が封止用レバー１１の動きによってＯＮ位置へと上へ動かされるため、封止用モータ４およびそれに関連した装置が始動せしめられる。一方向、本実施形態では反時計回り方向へ付勢されたつめ１７が回転し、付勢力により下方へ付勢されている封止装置用弁１５の一部へ封止装置用弁支持面２０を提供する。封止装置用弁支持面２０は封止装置用弁１５をＯＮ位置に保持する。
【０００９】
図４は非封止モードにある帯掛け工具１を示す。
この時のこの時点では解放カム１３が回転して解放カム歯１９をつめ１７へ提供する。特に解放カム歯１９は解放歯面１８に作用し、付勢力に対抗してつめ１７を回転し、封止装置用弁支持面２０を封止装置用弁１５との接触から離しておく。これにより封止装置用弁１５は付勢力の方向へと閉鎖位置へ動かされ、次の封止サイクルを待機する。種々の要素の付勢方向は、特定の実施形態に応じて変わるため、本発明は図３および図４の斜視図で示した特定の実施形態に限定されない。
【００１０】
図５は、封止装置用弁支持面２０と解放歯面１８とを有するつめ１７の一実施形態を示す。
一実施形態では、引張り用レバー１２は、引張り用レバー１２をＯＮ位置に保持するように付勢された引張り停止スイッチ１０によりＯＮ位置に保持される。封止用レバー１１は、始動されたとき、引張り用レバー１２に対する付勢位置から引張り停止スイッチ１０を解放し、引張り用レバー１２がＯＦＦ位置へ戻ることができるようになる。また帯材の引っ張りを終了するために引張り中にいつでも手動で引張り停止スイッチ１０を解放することができる。
【００１１】
本発明は、組み合わされた封止用モータ／弁モジュールの新しいデザインおよび封止ステップを終了する新しい手段を通じて、コンパクトで信頼性が高く且つ軽くて手で持てる帯掛け工具を提供するという課題に充てられ、且つこの課題を解決する。
本発明の好適実施形態の変更および修正は本願の開示に包含される。本発明の範囲は特許請求の範囲により限定される。
【図面の簡単な説明】
【図１】帯掛け工具の側面図である。
【図２】帯掛け工具の端面図である。
【図３】封止モードにある封止装置用弁始動・解放機構の斜視図である。
【図４】非封止モードにある封止装置用弁始動・解放機構の斜視図である。
【図５】つめの斜視図である。
【符号の説明】
１…帯掛け工具
４…封止用モータ
５…ギアボックス
６…封止カム
８…帯材
１０…引張り停止スイッチ
１１…封止用レバー
１２…引張り用レバー
１３…解放カム
１５…封止装置用弁
１６…引張り用弁
１７…つめ
１８…解放歯面
１９…解放カム歯
２０…封止装置用弁支持面
【図１】
0003863224.tif 000002
【図２】
0003863224.tif 000003
【図３】
0003863224.tif 000004
【図４】
0003863224.tif 000005
【図５】
0003863224.tif 000006